(57)【特許請求の範囲】
【請求項１】
支柱の根元にアンカーを備え、前記アンカーを躯体コンクリート内に打ち込んで固定されている既設手摺支柱材の新設手摺支柱材への手摺支柱材取り替え工法であって、
前記既設手摺支柱材の根元付近で切断撤去する第１の手順と、
前記既設手摺支柱材の残存部の内部に中空の溶接用補助材を嵌挿し、前記溶接用補助材の底面内周において前記アンカーに対して溶接固定する第２の手順と、
新設手摺支柱補強材を前記溶接用補助材に対して外挿し、前記新設手摺支柱補強材を前記溶接用補助材に対して溶接固定する第３の手順と、
前記新設手摺支柱材を前記新設手摺支柱補強材に対して固定する第４の手順を備え、
前記第２の手順の前記アンカーと前記溶接用補助材との前記溶接と、前記第３の手順の前記新設手摺支柱補強材と前記溶接用補助材との前記溶接により、前記アンカーと前記新設手摺支柱補強材の両者が、前記溶接用補助材という共通する一つの治具に対する溶接を介して一体化され固定し合っていることを特徴とした手摺支柱材取り替え工法。
【請求項２】
前記第２の手順と前記第３の手順の間に、前記溶接用補助材の内部に無収縮モルタル材を充填し、前記溶接用補助材と前記既設手摺支柱材の残存部との隙間に無収縮モルタル材又はエポキシ樹脂材を充填し、前記溶接用補助材の腐食防止処置を施す手順を加えた請求項１に記載の手摺支柱材取り替え工法。
【請求項３】
前記新設手摺支柱補強材の壁面にルーズ穴が設けられており、前記第３の手順において、前記新設手摺支柱補強材のルーズ穴を介して前記新設手摺支柱補強材を前記溶接用補助材に対して溶接固定せしめることを特徴とする請求項１または２に記載の手摺支柱材取り替え工法。
【請求項４】
前記第４の手順の後に、前記新設手摺支柱材の根元のコンクリート鼻先面台部に外部から水の浸入を防止するシーリング材を設ける手順を加えたことを特徴とする請求項１から３のいずれか１項に記載の手摺支柱材取り替え工法。
【発明の詳細な説明】
【０００１】
【発明の属する技術分野】
本発明は、既設打込みアンカー材の再利用により、取替え新設手摺を既設躯体の強度低下さすことなく、新設アルミ手摺等に取替え工事を行う工法である。
【０００２】
【従来の技術】
従来の取替え工法では、躯体コンクリートにコア抜きをして新設手摺支柱材を埋込み固定する方法や、新設支柱根元をプラグアンカー固定して取替え工事を行っていました。
【０００３】
【発明が解決しようとする課題】
従来の躯体コンクリートにコア抜きをして、支柱材を埋込み固定する方法では、バルコニー手摺や共用廊下手摺の場合には、バルコニーや共用廊下先端の上端補強鉄筋を必ず切断してしまいます。鉄筋の切断はバルコニーや共用廊下の従来の強度を著しく低下さす問題点があります。また、プラグアンカー固定では新設手摺支柱材が躯体に埋込まれないため、手摺支柱の柱頭揺れが大変大きく住民の手摺に対する不安要素となっていました。
【０００４】
【問題を解決するための手段】
上記の問題点を解決するために、本発明は鉄筋の切断をしない工法により躯体の強度低下をまねくことなく、新設手摺に取替えることができる。また、溶接用補助材と既設打込みアンカー材が溶接により一体化され、手摺支柱下地補強材がコンクリート中に十分に埋込み固定された既設手摺と同状態の納まりとなる。
【０００５】
【発明の実施の形態】
本発明は、強度的に一番信頼性のある既設打込みアンカー材を再利用することにより、今後のコンクリート強度の低下による支柱取付け強度低下による問題点や、手摺支柱材の柱頭の揺れ防止を考慮した工法である。
【０００６】
上記既設打込みアンカー材の再利用にあたり、アンカー材表面の錆びや腐食部は丁寧にケレンをして、溶接用補助材を強固に溶接できる状態とする。
【０００７】
溶接用補助材は、角パイプや丸パイプ及び鉄板曲物成形品を使用しますが、十分に溶接作業が可能な寸法として１７ｃｍ程度迄の長さとする。
【０００８】
溶接用補助材の上端まで、無収縮モルタル材やエポキシ樹脂材を充填して、既設打込みアンカー材を直接空気に触れない状態とする。
また、残存支柱材と溶接用補助材の隙間にも、無収縮モルタル材やエポキシ樹脂材を充填して水の侵入を防ぎ、既設打込みアンカー材の腐食防止をする。
【０００９】
上記作業完了後に、新設手摺支柱補強材を溶接用補助材に差込み、新設手摺支柱補強材のルーズ穴加工部より、溶接用補助材に強固に溶接固定して両材を一体化することができる。
【００１０】
既設打込みアンカー材、溶接用補助材、新設手摺支柱補強材と無収縮モルタル材又はエポキシ樹脂材により、新設手摺支柱補強材が躯体と一体化された状態となる。
【００１１】
上記状態の新設手摺支柱補強材に、取替え新設手摺支柱を差込み取付けすることにより、新設手摺に加わる外力を確実に躯体に伝達分散することができる。
【００１２】
【実施例】
実施例について添付図面を参照にして説明すると、図１、図２の既設腐食手摺を、図３の既設手摺支柱材２を根元部で切断撤去する。図４の既設支柱残存部２の内部に、図５に示すように溶接用補助材５を既設打込みアンカー４に内周溶接固定する。溶接補助部材５が強固に固定されていることを確認してから、溶接用補助材５の上端まで無収縮モルタル材を充填し、硬化後に残存支柱材２と溶接用補助材５の隙間にエポキシ樹脂材を既設残存支柱材上端まで充填する。なお、既設残存支柱材と溶接用補助材との隙間が大きい場合には、無収縮モルタル材を充填する。図６に示すように、既設打込みアンカー材４と既設残存支柱材２及び溶接用補助材５が一体化された状態となります。
次に新設手摺支柱補強材６を溶接用補助材５に差込み、新設手摺支柱補強材６のルーズ穴より溶接用補助材に溶接固定します。図７の新設手摺支柱材７を新設手摺支柱補強材に差込み、ビス８で固定をして全ての新設手摺部品を組込み、図９断面図のように完成させます。
【００１３】
図５に示される実施例の溶接部や、図６に示されるルーズ穴部の溶接部は十分にケレン作業を行い錆止め塗装する。
【００１４】
図５に示される実施例の、無収縮モルタル材やエポキシ樹脂材の充填は、打込みアンカー材４や既設残存支柱材２を、水の浸入による腐食や空気に触れて腐食しないように確実に行われるものとする。
【００１５】
図９に示される実施例の、新設手摺支柱材６の根元のシーリング材９は既設コンクリート鼻先面台部３に、支柱材根元から水の浸入防止と残存既設支柱材２の露出部を空気や雨にさらさないように確実に行うものとする。
【００１６】
【発明の効果】
本発明は、以上説明したような形態で実施され、以下に記載されるような効果を奏する。
【００１７】
既設打込みアンカー材を再利用することにより、躯体強度を低下さすことなく新設手摺の取替え工事が行える。
【００１８】
そして、新設取替え手摺に加わる外力を確実に躯体に伝達することができるため、強度的に台風圧や日常生活荷重に十分耐える新設手摺の設置が可能である。
【００１９】
既設打込みアンカー材や既設残存支柱材を、無収縮モルタル材又はエポキシ樹脂材を充填し根巻きシーリング材を打設することにより、両材は直接空気に触れることもなく、水の浸入による今後の腐食劣化防止につながる。
【００２０】
コア抜き工法では、鉄筋の切断により手摺支柱埋込み部は無鉄筋状態となり、手摺支柱にかかる外力により躯体コンクリートに引張り力が加わった場合のコンクリートの欠落や、躯体コンクリートの劣化による取付け強度不足の問題点もなくなる。
【００２１】
新設取替え手摺支柱材が、溶接用補助材で十分に躯体内部に埋込まれた状態となり、手摺支柱材の柱頭揺れのない手摺に取替えができる。
【図面の簡単な説明】
【図１】腐食の進行した既設手摺の姿図である。
【図２】腐食の進行した既設手摺の断面図である。
【図３】腐食の進行した既設手摺取付け断面詳細図である。
【図４】腐食の進行した既設手摺支柱材切断の平断面図である。
【図５】本発明の既設手摺支柱の残存部に新設溶接用補助材を取付けた平断面図である。
【図６】本発明の既設埋込みアンカー材に新設手摺の溶接用補助材と新設手摺支柱補強材を取付けた縦断面図である。
【図７】本発明の新設手摺支柱補強材に新設手摺支柱材を取付けた平断面図である。
【図８】本発明の工法により取替えた新設手摺の正面詳細図である。
【図９】本発明の工法により取替えた新設手摺の縦断面図である。
【符号の説明】
１  既設手摺笠木
２  既設手摺支柱
３  既設バルコニー鼻先面台
４  既設打込みアンカー材
５  新設溶接用補助材
６  新設手摺支柱補強材
７  新設手摺支柱材
８  新設手摺支柱材固定ビス
９  根巻きシーリング材
１０  新設手摺笠木材
【図１】
0004180899.tif 000002
【図２】
0004180899.tif 000003
【図３】
0004180899.tif 000004
【図４】
0004180899.tif 000005
【図５】
0004180899.tif 000006
【図６】
0004180899.tif 000007
【図７】
0004180899.tif 000008
【図８】
0004180899.tif 000009
【図９】
0004180899.tif 000010